(57)【特許請求の範囲】
【請求項１】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に沿って上流側から下流側に搬送する搬送手段と、
前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、
前記制御手段は、（ｉ）前記複数の単位領域のうちの前記記録媒体上の前記搬送方向における上流側の端部に位置する第１の単位領域に対する１回目の走査における前記所定の色のインクによる記録率が、前記第１の単位領域に対するＮ回目の走査における前記所定の色のインクによる記録率よりも低くなり、且つ、（ｉｉ）前記複数の単位領域のうちの前記記録媒体上の前記搬送方向における中央部に位置する第２の単位領域に対する１回目の走査における前記所定の色のインクによる記録率と、前記第２の単位領域に対するＮ回目の走査における前記所定の色のインクによる記録率と、が互いにほぼ等しくなるように、インクの吐出を制御することを特徴とするインクジェット記録装置。
【請求項２】
前記制御手段は、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御することを特徴とする請求項１に記載のインクジェット記録装置。
【請求項３】
（Ｎ−１）／２≦Ｋ≦（Ｎ＋１）／２であることを特徴とする請求項２に記載のインクジェット記録装置。
【請求項４】
Ｋ＝Ｎ／２であることを特徴とする請求項３に記載のインクジェット記録装置。
【請求項５】
前記制御手段は、前記第１の単位領域に対する１回目の走査からＮ回目の走査までのＮ回の走査それぞれにおける前記所定の色のインクによる記録率のそれぞれが互いに異なるように、インクの吐出を制御することを特徴とする請求項１から４のいずれか１項に記載のインクジェット記録装置。
【請求項６】
前記制御手段は、前記第２の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項１から５のいずれか１項に記載のインクジェット記録装置。
【請求項７】
前記制御手段は、前記複数の単位領域のうちの前記記録媒体上の前記搬送方向における下流側の端部に位置する第３の単位領域に対する１回目の走査における前記所定の色のインクによる記録率が、前記第３の単位領域に対するＮ回目の走査における前記所定の色のインクによる記録率よりも低くなるように、インクの吐出を制御することを特徴とする請求項１から６のいずれか１項に記載のインクジェット記録装置。
【請求項８】
前記制御手段は、前記第３の単位領域に対する１回目の走査からＬ（１＜Ｌ＜Ｎ）回目の走査までのＬ回の走査それぞれにおける前記所定の色のインクによる記録率のそれぞれが、前記第３の単位領域に対するＬ＋１回目の走査からＮ回目の走査までのＮ−Ｌ回の走査それぞれにおける前記所定の色のインクによる記録率のいずれよりも低くなるように、インクの吐出を制御することを特徴とする請求項７に記載のインクジェット記録装置。
【請求項９】
前記記録ヘッドは、前記所定の色のインクを吐出するための複数の吐出口が前記所定方向に配列された第１の吐出口列と、前記所定の色のインクを吐出するための複数の吐出口が前記所定方向に配列され、且つ、前記第１の吐出口列よりも前記搬送方向における下流側にずれた位置に配置された第２の吐出口列と、を少なくとも有することを特徴とする請求項１から８のいずれか１項に記載のインクジェット記録装置。
【請求項１０】
前記搬送手段は、前記第１の単位領域に対する１回目の走査において、前記第１の吐出口列の前記搬送方向における上流側の端部に配置された所定数の吐出口と前記第１の単位領域とが対向し、且つ、前記第１の単位領域に対するＮ回目の走査において、前記第２の吐出口列の前記搬送方向における下流側の端部に配置された所定数の吐出口と前記第１の単位領域とが対向するように、前記記録媒体を搬送することを特徴とする請求項９に記載のインクジェット記録装置。
【請求項１１】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に搬送する搬送手段と、
前記記録媒体の種類に関する情報を取得する第１の取得手段と、
前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、
前記制御手段は、（ｉ）前記第１の取得手段により取得された前記情報が示す前記記録媒体の種類が普通紙またはコート紙である場合、前記複数の単位領域のうちの前記記録媒体上の前記搬送方向における端部に位置する第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第１の取得手段により取得された前記情報が示す前記記録媒体の種類が普通紙およびコート紙でない場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とするインクジェット記録装置。
【請求項１２】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に搬送する搬送手段と、
前記Ｎの値に関する情報を取得する第２の取得手段と、
前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、
前記制御手段は、（ｉ）前記第２の取得手段により取得された前記情報が示す前記Ｎの値が第１の閾値以上である場合、前記複数の単位領域のうちの前記記録媒体上の前記搬送方向における端部に位置する第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第２の取得手段により取得された前記情報が示す前記Ｎの値が前記第１の閾値未満である場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とするインクジェット記録装置。
【請求項１３】
前記第１の閾値は、４であることを特徴とする請求項１２に記載のインクジェット記録装置。
【請求項１４】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に搬送する搬送手段と、
前記記録ヘッドの周辺部における湿度に関する情報を取得する第３の取得手段と、
前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、
前記制御手段は、（ｉ）前記第３の取得手段により取得された前記情報が示す前記湿度が第２の閾値以下である場合、前記複数の単位領域のうちの前記記録媒体上の前記搬送方向における端部に位置する第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第３の取得手段により取得された前記情報が示す前記湿度が前記第２の閾値よりも高い場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とするインクジェット記録装置。
【請求項１５】
前記第２の閾値は、３０％であることを特徴とする請求項１４に記載のインクジェット記録装置。
【請求項１６】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に搬送する搬送手段と、
前記記録媒体上の前記搬送方向における端部に対してインクを吐出せずに前記記録媒体上に記録を行う第１の記録モードと、前記記録媒体上の前記搬送方向における端部に対してもインクを吐出して前記記録媒体上に記録を行う第２の記録モードと、を少なくとも含む複数の記録モードのうちから実行する記録モードを決定する決定手段と、
前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、
前記制御手段は、（ｉ）前記決定手段に決定された記録モードが前記第２の記録モードである場合、前記複数の単位領域のうちの前記記録媒体上の前記搬送方向における端部に位置する第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記決定手段により決定された記録モードが前記第１の記録モードである場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とするインクジェット記録装置。
【請求項１７】
所定の色のインクを吐出するための複数の吐出口が所定方向に配列された吐出口列を有する記録ヘッドを用いて画像を記録するインクジェット記録方法であって、
前記記録ヘッドを記録媒体上の複数の単位領域それぞれに対して前記所定方向と交差する走査方向にＮ（Ｎ≧３）回走査させる走査工程と、
前記記録媒体を前記走査方向と交差する搬送方向に沿って上流側から下流側に搬送する搬送工程と、
前記複数の単位領域それぞれに対して前記Ｎ回の走査それぞれにおいて、前記記録媒体上を走査する前記記録ヘッドから前記所定の色のインクを吐出するように制御する制御工程と、を有し、
前記制御工程は、（ｉ）前記複数の単位領域のうちの前記記録媒体上の前記搬送方向における上流側の端部に位置する第１の単位領域に対する１回目の走査における前記所定の色のインクによる記録率が、前記第１の単位領域に対するＮ回目の走査における前記所定の色のインクによる記録率よりも低くなり、且つ、（ｉｉ）前記複数の単位領域のうちの前記記録媒体上の前記搬送方向における中央部に位置する第２の単位領域に対する１回目の走査における前記所定の色のインクによる記録率と、前記第２の単位領域に対するＮ回目の走査における前記所定の色のインクによる記録率と、が互いにほぼ等しくなるように、インクの吐出を制御することを特徴とするインクジェット記録方法。
【発明の詳細な説明】
【技術分野】
【０００１】
本発明は、記録媒体にインクを吐出して記録を行うインクジェット記録装置に関し、特に記録媒体の端部での記録によって記録媒体が変形し、記録ヘッドと記録媒体との距離の変化することが抑えられるように記録制御の行われるインクジェット記録装置に関する。
【背景技術】
【０００２】
インクジェット記録装置では、記録ヘッドからインク滴が記録媒体に吐出されることで記録が行われる。このとき、記録媒体のインクが吐出された部分では、繊維層にインクが浸透することで繊維層が膨張する。このため、記録媒体が湾曲したり、また波打つように変形したりする場合がある。これにより、記録ヘッドにおける吐出口の形成されている面と記録媒体の記録面との間の距離が一定でなくなる場合がある。この記録媒体の変形が大きくなると、記録ヘッドと記録媒体とが接触するおそれがある。特に、インクジェット記録装置では、複数の記録ヘッドを搬送方向に繋ぎ合わせる等して記録ヘッドを長尺化させることがある。記録ヘッドが長尺化されたインクジェット記録装置では、一回の記録ヘッドの走査による記録可能な領域が長くなる。そのため、記録の行われる際の記録データによっては、記録媒体へのインクの打ち込み量が大きくなり、記録媒体へのインクの浸透量が増加する等して、記録媒体の変形が大きくなる場合がある。これによって、記録媒体と記録ヘッドとが接触する可能性が高まる。
【０００３】
記録ヘッドと記録媒体との間の接触を回避するために、例えば特許文献１には、記録媒体の搬送方向の下流側の記録ヘッドを、上流側の記録ヘッドよりも記録媒体から離間した位置に配置したインクジェット記録装置が提案されている。このように記録ヘッドが配置されることで、上流側の記録ヘッドからのインクが記録媒体に打ち込まれることによって記録媒体が変形しても、記録媒体が記録ヘッドに接触することを抑制している。
【先行技術文献】
【特許文献】
【０００４】
【特許文献１】特開２００８−１９５０６０号公報
【発明の概要】
【発明が解決しようとする課題】
【０００５】
しかしながら、特許文献１に開示されたインクジェット記録装置では、上流側の記録ヘッドと下流側の記録ヘッドとで、記録ヘッドと記録媒体との間の距離（紙間距離）が異なる。従って、上流側の記録ヘッドと、下流側の記録ヘッドとの間で、インク滴の着弾精度に差が生じる。記録ヘッドの一部の吐出口からのインク吐出のみインク滴の着弾精度が低下すると、記録画像にムラや筋等が発生し、画像品位が低下する可能性がある。
【０００６】
そこで、本発明は上記の事情に鑑み、記録の際に、記録媒体の端部での記録によって、記録ヘッドと記録媒体との間の距離の変化することが抑えられたインクジェット記録装置を提供することを目的とする。
【課題を解決するための手段】
【０００７】
本発明は、所定の色のインクを吐出するための複数の吐出口が所定方向に配列された吐出口列を有する記録ヘッドと、前記記録ヘッドを記録媒体上の複数の単位領域それぞれに対して前記所定方向と交差する走査方向にＮ（Ｎ≧３）回走査させる走査手段と、前記記録媒体を前記走査方向と交差する搬送方向に沿って上流側から下流側に搬送する搬送手段と、前記複数の単位領域それぞれに対して前記Ｎ回の走査それぞれにおいて、前記記録媒体上を走査する前記記録ヘッドから前記所定の色のインクを吐出するように制御する制御手段と、を有するインクジェット記録装置であって、前記制御手段は、（ｉ）前記複数の単位領域のうちの前記記録媒体上の前記搬送方向における上流側の端部に位置する第１の単位領域に対する１回目の走査における前記所定の色のインクによる記録率が、前記第１の単位領域に対するＮ回目の走査における前記所定の色のインクによる記録率よりも低くなり、且つ、（ｉｉ）前記複数の単位領域のうちの前記記録媒体上の前記搬送方向における中央部に位置する第２の単位領域に対する１回目の走査における前記所定の色のインクによる記録率と、前記第２の単位領域に対するＮ回目の走査における前記所定の色のインクによる記録率と、が互いにほぼ等しくなるように、インクの吐出を制御することを特徴とする。
【発明の効果】
【０００８】
本発明によれば、記録媒体の端部への記録の際に、記録媒体の変形によって記録ヘッドと記録媒体との間の距離が変化することを抑えることができるので、記録画像の品質が低下することを抑制することができる。
【図面の簡単な説明】
【０００９】
【図１】本発明の第１実施形態に係るインクジェット記録装置の要部の構成について模式的に示した平面図である。
【図２】図１のインクジェット記録装置における記録ヘッドの周辺部について模式的に示した断面図である。
【図３】図２の記録ヘッドを記録媒体側から見て模式的に示した平面図である。
【図４】図１のインクジェット記録装置における制御系の構成について示したブロック図である。
【図５】図１のインクジェット記録装置によって記録媒体の端部に記録を行う際の記録制御のフローについて示したフローチャートである。
【図６】図３の記録ヘッドにおいて記録媒体の端部への記録の際に用いられる吐出口の領域について説明するための説明図である。
【図７】図１のインクジェット記録装置によって記録媒体の端部への記録が行われる際に、それぞれの記録ヘッドの領域によるパスごとの記録率について説明するための説明図である。
【図８】図１のインクジェット記録装置によって記録媒体の先端部への記録が行われる際の、それぞれのパスごとに使用される記録ヘッドの領域と記録媒体との間の位置関係について説明するための説明図である。
【図９】図１のインクジェット記録装置によって記録媒体の後端部への記録が行われる際の、それぞれのパスごとに使用される記録ヘッドの領域と記録媒体との間の位置関係について説明するための説明図である。
【図１０】本発明の第２実施形態に係るインクジェット記録装置によって記録媒体の端部に記録を行う際の記録制御のフローについて示したフローチャートである。
【発明を実施するための形態】
【００１０】
以下、本発明の実施形態について図面を参照して説明する。  
（第１実施形態）
まず、本発明の第１実施形態に係るインクジェット記録装置の全体構成について説明する。
【００１１】
図１は、第１実施形態に係るインクジェット記録装置１００の主要部について模式的に示した平面図である。図２は、同様に、第１実施形態に係るインクジェット記録装置１００の記録ヘッド３、１０の周辺部について模式的に示した断面図である。インクジェット記録装置１００は、記録ヘッド３、１０から記録媒体へインクを吐出することで記録を行う。
【００１２】
搬送ユニット１は、回転駆動される搬送ローラ１１と、搬送ローラ１１に従動して回転する従動ローラ１２とを有している。記録媒体が搬送ローラ１１と従動ローラ１２との間に挟まれた状態で搬送ローラ１１が回転駆動されることによって、記録媒体が搬送方向に沿って搬送される。搬送ローラ１１は、搬送モータ１０２によって駆動されている。
【００１３】
インクジェット記録装置１００には、記録媒体としてのロール紙４が装着されている。ロール紙への記録ヘッドによる画像の記録が行われると、インクジェット記録装置１００はそこでロール紙の切断を行うことができる。従って、ロール紙の切断のタイミングを調節することで、記録媒体の長さを所望の長さとすることができる。
【００１４】
記録ヘッド３、１０は、キャリッジ２に搭載され、キャリッジ２が移動することで記録ヘッド３、１０が走査を行う。本実施形態では、キャリッジ２内で、二つの記録ヘッド３、１０が、記録媒体の搬送方向に並べられている。第１の記録ヘッド（第１の吐出口群）３には、インクを吐出する吐出口が配列されて吐出口列が形成されている。また、第２の記録ヘッド（第２の吐出口群）１０には、第１の記録ヘッド３に形成された吐出口列が配列された配列方向と同じ方向に吐出口が配列されて、吐出口列が形成されている。記録媒体を搬送させながら、第１の記録ヘッド３及び第２の記録ヘッド１０が、記録媒体の搬送される搬送方向に交差する主走査方向に走査を行いつつ、記録媒体にインクを吐出して記録が行われる。また、本実施形態では、第１の記録ヘッド３及び第２の記録ヘッド１０は、所定の記録領域に対して複数回走査を行うことで記録が行われる。すなわち、本実施形態のインクジェット記録装置は、マルチパス形式のインクジェット記録装置である。本実施形態では、記録ヘッド３、１０に形成された吐出口列を形成する複数の吐出口は、吐出口列の配列された配列方向に沿って、二つの吐出口群に分割されている。これら二つの吐出口群のそれぞれが記録ヘッドとして機能し、第１の記録ヘッド３及び第２の記録ヘッド１０としてインクを吐出して記録媒体に記録を行う。本実施形態では、記録ヘッド３、１０は、所定の記録領域に対してそれぞれ走査を行うことで記録を行う。二つの記録ヘッド３、１０における吐出口列は、主走査方向にずれた状態で記録媒体の搬送方向に接続されている。二つの記録ヘッド３、１０が隣接する繋ぎ部の吐出口同士のピッチは、それぞれの記録ヘッド３、１０におけるピッチと同じ長さとなるように、二つの記録ヘッド３、１０のそれぞれの吐出口列が配列されている。
【００１５】
本実施形態では、第１の記録ヘッド３及び第２の記録ヘッド１０がそれぞれ同じ個数の吐出口を有するように、それぞれの記録ヘッド３、１０が形成されている。従って、それぞれの記録ヘッド３、１０に、吐出口列を形成する吐出口が、吐出口列の配列方向に沿って２等分されている。本実施形態では、第１の記録ヘッド３と第２の記録ヘッド１０は、吐出口の数、配列、ピッチの長さ等、同一の特性を有する記録ヘッドである。
【００１６】
本実施形態では、キャリッジ２には、記録媒体の搬送方向の上流側に第１の記録ヘッド３が搭載され、下流側に第２の記録ヘッド１０が搭載されている。キャリッジ２は、Ｘ方向に沿って配置されたガイド軸５に沿って移動可能に支持されている。また、キャリッジ２には、ガイド軸５と略平行に移動する無端ベルト６が取り付けられている。キャリッジが主走査方向への移動を行う際には、無端ベルト６がキャリッジモータの駆動力により往復移動を行い、無端ベルトの移動に伴ってキャリッジ２が往復移動を行う。
【００１７】
インクジェット記録装置１００における記録領域に対応する位置には、記録媒体Ｓを支持するためのプラテン７が、記録ヘッドのインク吐出面と対向するように設けられている。プラテン７の下方（Ｚ方向）には、記録媒体Ｓをプラテン７に吸着させるための吸引装置としての、ファン８及びファン８を駆動させるためのファンモータが取り付けられている。
【００１８】
図３は、キャリッジに搭載された状態の記録ヘッドにおける吐出口の形成された吐出面について、記録媒体の方から見た平面図である。第１の記録ヘッド３と第２の記録ヘッド１０は、Ｘ方向及び、Ｙ方向へそれぞれ所定量ずらしてキャリッジ２に搭載されている。第１の記録ヘッド３及び第２の記録ヘッド１０のそれぞれには、黒（Ｋ）、シアン（Ｃ）、マゼンタ（Ｍ）、イエロー（Ｙ）のインクを吐出する吐出口列９Ｋ、９Ｃ、９Ｍ、９Ｙが備えられている。それぞれの記録ヘッドに形成された吐出口は、Ｙ方向に一定のピッチＰを有して整列されるように配置されている。Ｙ方向における吐出口のピッチは、１２００ｄｐｉ（ドット/インチ）で、各吐出口列には、１２８０個の吐出口が配列されている。また、前述したように、第１の記録ヘッド３と第２の記録ヘッド１０のＹ方向の繋ぎ部における吐出口ピッチＰ´は、各吐出口列における吐出口の間のピッチＰと同一ピッチ（Ｐ＝Ｐ´）である。
【００１９】
本実施形態のインクジェット記録装置１００では、記録ヘッド３、１０におけるインク流路内のそれぞれには、発熱素子（電気熱変換体）が備えられている。発熱素子を選択的に通電して、その発熱素子から熱エネルギーを発生させることにより、インク流路内のインクが加熱されて膜沸騰により発泡し、そのときの発泡エネルギーによって吐出口からインク滴が吐出される。本実施形態におけるインクジェット記録装置１００は、記録媒体の搬送方向に交差する方向へ記録ヘッド３、１０が走査しながら記録を行うシリアルスキャン形式のインクジェット記録装置である。本実施形態のインクジェット記録装置１００は、搬送ユニット１によって記録媒体ＳをＹ方向へ間欠的に搬送すると共に、記録ヘッドを記録媒体の搬送方向（Ｙ方向）と直交する方向（Ｘ方向）へと往復移動させる。インクジェット記録装置１００は、上述したように、ガイド軸５によってキャリッジ２が主走査方向に移動自在にガイドされている。キャリッジ２は、キャリッジモータ１０３及びその駆動力を伝達する無端ベルト６により、ガイド軸５によってガイドされた状態で主走査方向に往復移動される。インクジェット記録装置１００は、記録ヘッド３、１０を主走査方向に移動させつつ、記録媒体のプリント領域に向かってインクを吐出させる記録動作と、その記録幅に対応する距離だけ記録媒体を副走査方向に搬送する搬送動作と、を繰り返す。これらの記録動作と搬送動作とを相互に行うことによって、記録媒体上に順次画像が記録される。なお、本実施形態の記録ヘッドは発熱素子によりインク内で膜沸騰を発生させて発泡させ、インク滴を吐出する方式としたが、本発明はこれに限定されない。圧電素子を変形させ、これによって記録ヘッド内部の液体を吐出する形式の記録ヘッドがインクジェット記録装置に適用されても良く、また、他の形式の記録ヘッドが本発明のインクジェット記録装置に適用されても良い。
【００２０】
図４には、本実施形態におけるインクジェット記録装置１００の制御系の構成について説明するためのブロック図が示されている。インクジェット記録装置１００は、Ｉ／Ｆ（インターフェース）３００を介して、ホストＰＣ２００に接続されている。ホストＰＣ２００から送信される各種データ及び制御信号が、インクジェット記録装置１００の記録制御部（ＣＰＵ）１０１に入力される。記録制御部１０１は、入力された制御信号等によって各種処理を実行する。搬送モータ１０２は、モータドライバ１０４からの信号に応じて搬送ローラ１１を回転駆動させる。キャリッジモータ１０３は、モータドライバ１０５によりキャリッジ２を往復移動する。記録ヘッドの数に応じて複数設けられるヘッドドライバ１０６は、記録ヘッドを駆動しインクの吐出制御を行う。さらに、インクジェット記録装置１００には、温湿度センサ１０７、ヘッドＺ位置センサ１０８等、各種センサが設けられており、これらの情報は、記録制御部１０１に入力される。
【００２１】
次に、本実施形態におけるインクジェット記録装置１００の記録動作について説明する。ロール紙４は、搬送経路を通り搬送ユニット１まで案内された後、搬送ユニット１からプラテン７へ送り出される。記録媒体がプラテン７上に到達すると、そこで記録媒体はプラテン７の下部のファン８の駆動によってプラテン７上に吸着される。プラテン７に吸着された記録媒体Ｓは、記録ヘッド３、１０からインク滴の吐出が行われ画像が形成される。本実施形態では、記録媒体Ｓをプラテン７に吸着したまま、記録動作と複数回の所定ピッチの搬送動作とを繰り返し、記録が行われる。このとき、それぞれの記録ヘッド３、１０に形成された吐出口列の吐出口は複数の吐出口ごとに分割され、分割されたブロックごとにインク滴を吐出して記録が行われる。通常は、記録ヘッド３、１０のそれぞれで、使用される吐出口が均等に分割されて複数の吐出口を有するブロックが形成され、分割されたブロックごとに吐出口からインク滴が吐出される。このように、ブロックごとに分割記録が行われることで、吐出口のピッチ誤差による筋や濃度ムラが記録画像に生じることを回避できる。
【００２２】
記録の指示があるとロール紙４は、プラテン７に案内され、プラテン７で吸着されながら、所定ピッチで副走査方向へ搬送される。そして、記録ヘッドの吐出口から記録媒体Ｓに対して画像データに基づいてインク滴が吐出される。１回目のパスが終了すると、記録媒体Ｓは、プラテン７に密着されたまま所定ピッチ搬送され、再度、記録ヘッドの吐出口から画像データに基づいてインク滴が吐出される。以上の動作を指定されたパス数だけ繰り返すことで、記録媒体Ｓに全体の記録画像が形成される。
【００２３】
本実施形態の記録制御では、記録ヘッドに形成された複数の吐出口が形成された位置によって複数の領域に分割され、記録媒体の所定領域に対して、分割されたそれぞれの領域の吐出口から複数回に亘ってインク吐出の行われる分割記録が行われる。このように分割記録が行われる場合において、記録媒体Ｓの先端部分及び後端部分に画像形成する際、第１の記録ヘッド３から吐出されるインク吐出量が、第２の記録ヘッド１０から吐出されるインク吐出量よりも少なくなるように記録が制御される。つまり、本実施形態では、二つの記録ヘッド３、１０のうち、先に使用される第１の記録ヘッド３からのインク吐出による記録媒体の単位面積当たりのインク吐出量が、後に使用される第２の記録ヘッド１０からのものよりも小さくなるように、記録が制御される。本実施形態では、記録制御部１０１が、記録媒体における搬送方向の端部への記録が行われる際に、インクジェット記録装置１００による記録を制御する制御手段（第１の制御手段）として機能する。このように記録が制御されるので後述するように、記録媒体の変形し易い先端部分及び後端部分において前述の制御を実施することで、第１の記録ヘッド３から吐出されたインクによって記録媒体Ｓが変形してしまうことが抑制される。
【００２４】
以下、フローチャートに従い、本実施形態の記録制御の制御フローについて説明する。図５は、本実施形態に係るインクジェット記録装置１００の制御フローである。記録が開始されると、ステップ４０１でユーザーが選択した紙種を判定する。本実施形態では、インクを吸収することで変形の大きい普通紙及び、比較的薄いコート紙を対象として制御が行われ、その他の種類の記録媒体が用いられる場合には、本発明の記録制御は行われずに通常の記録動作が行われる。しかしながら、本発明の記録制御が行われる対象としての記録媒体は、普通紙、薄いコート紙に限られるものではない。その他の記録媒体が用いられるときにも、本発明の記録制御が行われても良い。
【００２５】
ステップ４０１で対象外の記録媒体の紙種が用いられている場合には、制御のフローはステップ４０３に移行し、第１の記録ヘッド３と第２の記録ヘッド１０の記録率が均一に設定されたマスクを選択して記録が実行される。ここで、記録率は、記録媒体の単位面積当たりの、記録媒体へ打ち込まれるインクの吐出量のことを言うものとする。ステップ４０１で、本実施形態の記録制御の対象となる紙種の記録媒体が選択されている場合には、フローはステップ４０２へ移行し、ユーザーが選択した記録パス数（Ｎ）を判定する。
【００２６】
ステップ４０２で、パス数ＮがＮ＝３以下と判定された場合には、パス数が本発明の対象外と判断して、フローがステップ４０３へ移行し、第１の記録ヘッド３と第２の記録ヘッド１０の記録率が均一に設定されたマスクが選択されて記録が実行される。そこでフローはステップ４１７に移行し、全てのパスを通して、記録率が均一に設定されたマスクが用いられて記録が行われる。また、ステップ４０２で、パス数ＮがＮ＝４以上と判定された場合には、ステップ４０４へ移行し、第１の記録ヘッド３と第２の記録ヘッド１０の記録率が異なるように設定された不均一マスクを選択して用紙先端から記録が開始される。
【００２７】
ここで、インクジェット記録装置１００による記録媒体の先端部への記録について説明する。ステップ４０５で、先端部への記録について記録制御が開始される。次いで、ステップ４０６で１パスごとに記録データを読み出して、そのパスの分の記録が行われる。このとき、パス数ｎが１パス〜Ｎ／２パス（第１の記録ヘッド使用）までのインク吐出量が、（Ｎ／２＋１）パス目〜Ｎパス目（第２の記録ヘッド使用）までのインク吐出量より少なくなるように制御を行う。従って、１パス〜Ｎ／２パスまでのインクの消費量が、（Ｎ／２＋１）パス〜Ｎパス目までのインクの消費量より少なくなるように制御が行われる。１パス分の記録処理が終了すると、先端部分の記録が終了する（ステップ４０７）。続いて、ステップ４０８へ移行して、記録媒体が搬送方向へ搬送されることで記録ヘッド３を副走査方向へシフトさせる。
【００２８】
続いて、フローがステップ４０９へ移行し、第１の記録ヘッド３と第２の記録ヘッド１０の記録率が均一に設定された均一マスクを選択して、記録媒体における搬送方向両端部以外の中央部への記録を実行する。続いて、ステップ４１０で、中央部への記録について記録制御が開始される。次いで、ステップ４１１で中央部におけるそれぞれのパスごとの記録データを読込み、記録データの読み取られたパスごとに記録を行う。パスごとの記録処理が中央部のパス数の分繰り返され、中央部への記録が終了すると、記録媒体が搬送方向へ搬送されることで記録ヘッドが副走査方向へシフトされる。ここまでで、記録媒体の先端部から後端部の手前までの画像が形成されたことになる。
【００２９】
ここで、記録媒体の先端部とは、記録媒体のうち、搬送方向下流側の端部であって、記録ヘッド３、１０が一回の走査で記録を行うことのできる範囲の部分のことを言うものとする。また、記録媒体の後端部とは、記録媒体のうち、搬送方向上流側の端部であって、記録ヘッド３、１０が一回の走査で記録を行うことのできる範囲の部分のことを言うものとする。
【００３０】
本実施形態では、往復走査する記録ヘッド３、１０の往方向の走査回数と復方向の走査回数が異なると、そこで記録による濃度が異なってしまい、記録画像の品質が低下する可能性があることから、通常、パス数Ｎについては、偶数の値が用いられることが多い。そのため、通常、Ｎ／２パス、（Ｎ／２＋１）パスについては整数の値となる。しかしながら、パス数Ｎは、奇数の値が用いられても良い。そのような場合には、Ｎ／２パス、（Ｎ／２＋１）パスについては、整数にはならない。従って、その場合には、少数点以下の桁については、切り上げられても良いし、切捨てられても良い。
【００３１】
続いて、フローがステップ４１２へ移行して、記録媒体の搬送を行い、記録ヘッド３による記録媒体上への記録領域を、搬送方向へ相対的にシフトさせる。続いて、フローがステップ４１３へ移行し、第１の記録ヘッド３と第２の記録ヘッド１０の記録率が異なるように設定された不均一マスクを選択して用紙後端部の記録を開始する（ステップ４１４）。続いて、ステップ４１５で、後端部への記録について記録制御が開始される。
【００３２】
次いで、ステップ４１６でパスごとに記録データを読み出して、読み出されたパスごとの記録が行われる。このとき、１パス目〜Ｎ／２パス目（第１の記録ヘッド使用）までのインク吐出量が、（Ｎ／２＋１）パス目〜Ｎパス目（第２の記録ヘッド使用）までのインク吐出量より少なくなるように制御を行う。１パス分の記録処理（ｎパス目）が終了すると、次のパス（ｎ＋１パス目）の記録が行われる。これをＮパス分繰り返すことで、記録媒体の先端部への記録を終える。記録媒体の先端部に対する記録を終えると、記録媒体における先端部及び後端部以外の、記録媒体の中央部に対する記録が行われる。記録媒体の中央部への記録では、パスごとに記録の行われる画素が均等に配分されたマスクが用いられて記録が行われる。中央部への記録を終えると、次に記録媒体における後端部への記録が行われる。
【００３３】
記録媒体における後端部への記録では、先端部への記録と同様に、１パス目〜Ｎ／２パス目（第１の記録ヘッド使用）までのインク消費量が、（Ｎ／２＋１）パス目〜Ｎパス目（第２の記録ヘッド使用）までのインク消費量より少なくなるように制御が行われる。記録媒体の後端部分の記録が終了すると、画像全体が記録され、記録が終了する。本実施形態では、パス数Ｎ＝４以上を対象に制御を実行しているが、本発明ではこれに限定されるものではなく、Ｎ＝２、３で制御を実行して構わない。
【００３４】
以上のように、本実施形態では、記録媒体の変形し易い先端部及び後端部への記録において、第１の記録ヘッド３のインク吐出量が第２の記録ヘッド１０のインク吐出量より少なくして画像を形成する。しかしながら、本発明は、これに限らず、先端部又は、後端部のどちらか一方のみに上記の記録制御を実施して構わない。すなわち、不均一マスクの適応範囲を用紙の先端及び後端に制限することで、第１の記録ヘッド３と第２の記録ヘッド１０の寿命に格差が生じることを防止する。さらに、不均一マスクを使用することによる画像ムラの発生する確率を低減する。
【００３５】
次に、実際の画像形成手順について、所定領域への記録を４パス記録によって行う４パス分割記録（Ｎ＝４）を例に説明する。図６は、４パス分割記録の場合における吐出口分割を示した平面図である。図７は、４パス分割記録の場合におけるｎパス目の記録データ及び全体画像を示している。第１の記録ヘッド３、第２の記録ヘッド１０の吐出口列は、吐出口長さが４パスになるように均等に分割されている（３ａ＝３ｂ＝１０ａ＝１０ｂ）。画像５００は、記録率１００％の記録が終了した全体画像である。全体画像を形成する手順として、まず、１パス目で記録率１０％の画像５００ａを記録する。次いで、記録ヘッドを副走査方向に１パス分移動し、２パス目の記録率２０％の画像５００ｂを記録する。ここまでが、第１の記録ヘッド３による記録であり、全体像５００の３０％を記録したことになる。次いで、記録ヘッドを副走査方向に１パス分移動し、３パス目の記録率４０％の画像５００ｃを記録する。さらに、記録ヘッドを１パス分移動して、４パス目の記録率３０％の画像５００ｄを記録する。以上により、４パス分割記録による全体画像が形成される。すなわち、第１の記録ヘッド３では、記録率３０％の画像を形成し、第２の記録ヘッド１０では記録率７０％の画像を形成したことになる。本実施形態では、画像の記録率を上記のように設定したが、本発明はこれに限定されず、記録媒体の端部で全体画像を形成するまでに消費する第１の記録ヘッド３のインク吐出量が、第２の記録ヘッド１０のインク吐出量より少なければよい。
【００３６】
記録媒体の先端部への記録において、４パス分割記録（Ｎ＝４）が行われる場合について図８を参照してさらに具体的に説明する。ここでは、記録媒体の先端部における搬送方向の最も先端側の部分の領域Ａに着目して記録動作について説明する。記録媒体の先端部に記録が行われる際には、まず図８（ａ）に示されるように、記録ヘッド３、１０が記録媒体の先端部に近接する位置に配置される。そこから図８（ｂ）に示されるように、記録媒体が第１の記録ヘッド３の半分の長さに相当する長さだけ搬送方向へ搬送される。記録媒体が記録ヘッド３、１０に対してこのように搬送されると、記録ヘッド３、１０は主走査方向に移動しながら、第１の記録ヘッド３における記録媒体の搬送方向上流側の位置から記録媒体に向けてインクを吐出して第１の記録ヘッド３により記録が行われる。このとき、第１の記録ヘッド３における上流側の半分の領域に相当する分の吐出口が用いられて、領域Ａに対してのみ記録が行われる。本実施形態では、ここでの記録が領域Ａに対する１パス目の記録となるので、ここでの記録における記録率が１０％となるように記録が行われる。
【００３７】
そこで第１の記録ヘッド３の半分の長さに相当する分の記録が行われると、そこから記録媒体が第１の記録ヘッド３の半分の長さに相当する分だけ搬送方向へ搬送される。記録ヘッド３、１０と記録媒体との位置関係が図８（ｃ）に示されるように記録媒体の先端の位置が第１の記録ヘッド３の下流側の先端に対応した部分に位置した関係になると、領域Ａに対して第１の記録ヘッド３における搬送方向下流側の部分により記録が行われる。このとき、記録ヘッド３、１０が主走査方向に移動しながら、記録ヘッド３の下流側の部分から記録媒体にインクが吐出されて、第１の記録ヘッド３により記録が行われる。ここでの記録は領域Ａに対する２パス目の記録となるので、ここでの記録における記録率が２０％となるように記録が行われる。
【００３８】
第１の記録ヘッド３の下流側の部分による領域Ａへの記録が終わると、そこから記録媒体が第２の記録ヘッド１０の半分の長さに相当する分だけ搬送方向へ搬送される。図８（ｄ）に示されるように、記録ヘッド３、１０と記録媒体との位置関係が、記録媒体の先端が第２の記録ヘッド１０の中央部に対応した部分に位置する関係になると、領域Ａに対して第２の記録ヘッド１０における搬送方向上流側の部分により記録が行われる。ここでの記録は領域Ａに対する３パス目の記録となるので、ここでの記録における記録率が４０％となるように記録が行われる。
【００３９】
第２の記録ヘッド１０の上流側の部分による領域Ａへの記録が終わると、そこから記録媒体が第２の記録ヘッド１０の半分の長さに相当する分だけ搬送方向へ搬送される。図８（ｅ）に示されるように、記録媒体の先端が第２の記録ヘッド１０の下流側の端部に対応した部分に位置すると、領域Ａに対して第２の記録ヘッド１０における搬送方向下流側の部分により記録が行われる。ここでの記録は領域Ａに対する４パス目の記録となるので、ここでの記録における記録率が３０％となるように記録が行われる。
【００４０】
記録媒体の先端部における最も先端側に位置した領域Ａに対して、このように１パス目の記録率１０％、２パス目の記録率２０％、３パス目の記録率４０％、４パス目の記録率３０％によって記録が行われる。このように、記録媒体の搬送方向の先端部への記録が行われる際に、先に使用される第１の記録ヘッド３からのインク吐出による記録媒体の単位面積当たりのインク吐出量が、後に使用される第２の記録ヘッド１０からのものより小さくなるように記録が制御される。すなわち、４回の走査で所定の記録領域への記録が行われる際に、１回目から２回目までの走査で、第１の記録ヘッド３によるインク吐出によって記録が行われ、３回目から４回目までの走査で、第２の記録ヘッド１０によるインク吐出によって記録が行われる。このとき、１回目から２回目までの走査で吐出されるインクの量が、３回目から４回目までの走査で吐出されるインクの量よりも少なくなるように、記録が制御される。このように、本実施形態では、所定の記録領域をＮ回の走査で記録が行われるときに、１回目から（Ｎ／２）回目までの走査で、第１の記録ヘッド３によるインク吐出が行われる。また、（Ｎ／２＋１）回目からＮ回目までの走査で、第２の記録ヘッド１０によるインク吐出が行われる。そして、１回目から（Ｎ／２）回目までの走査で吐出されるインクの量が、（Ｎ／２＋１）回目からＮ回目までの走査で吐出されるインクの量よりも少なくなるように、記録が制御される。本実施形態では、記録制御部１０１が、記録を制御する制御手段（第１の制御手段、第２の制御手段）として機能する。
【００４１】
記録媒体の後端部についても、記録媒体の先端部と同様な記録が行われる。記録媒体の後端部への記録について、図９を参照して説明する。記録媒体の後端部に記録が行われる際には、まず図９（ａ）に示されるように、第１の記録ヘッド３の上流側の部分が記録媒体の後端部に対応する位置に配置される。そこから図９（ｂ）に示されるように、記録媒体が第１の記録ヘッド３の半分の長さに相当する長さだけ搬送方向へ搬送される。記録媒体が記録ヘッド３、１０に対してこのように搬送されると、記録ヘッド３、１０は主走査方向に移動しながら、第１の記録ヘッド３における搬送方向上流側の部分から記録媒体に向けてインクを吐出して第１の記録ヘッド３により記録が行われる。このとき、第１の記録ヘッド３における上流側の半分の領域に相当する分の吐出口が用いられて、最も後端に位置する領域Ｂに対してのみ記録が行われる。本実施形態では、ここでの記録が領域Ｂに対する１パス目の記録となるので、ここでの記録における記録率が１０％となるように記録が行われる。
【００４２】
そこで第１の記録ヘッド３の半分の長さに相当する分の記録が行われると、そこから記録媒体が第１の記録ヘッド３の半分の長さに相当する分だけ搬送方向へ搬送される。記録ヘッド３、１０と記録媒体との位置関係が図９（ｂ）に示されるように記録媒体の後端の位置が第１の記録ヘッド１０の中央部に対応した部分に位置した関係になると、領域Ｂに対して第１の記録ヘッド３における搬送方向下流側の部分により記録が行われる。このとき、記録ヘッド３、１０が主走査方向に移動しながら、第１の記録ヘッド３の下流側の部分から記録媒体にインクが吐出されて、第１の記録ヘッド３により記録が行われる。ここでの記録は領域Ｂに対する２パス目の記録となるので、ここでの記録における記録率が２０％となるように記録が行われる。
【００４３】
第１の記録ヘッド３の下流側の部分による領域Ｂへの記録が終わると、そこから記録媒体が第２の記録ヘッド１０の半分の長さに相当する分だけ搬送方向へ搬送される。図９（ｃ）に示されるように、記録ヘッド３、１０と記録媒体との位置関係において、記録媒体の後端部が第２の記録ヘッド１０の上流側の先端部に対応した部分に位置した関係になる。記録ヘッド３、１０と記録媒体との位置関係が、このような位置関係になると、領域Ｂに対して第２の記録ヘッド１０における搬送方向上流側の部分により記録が行われる。ここでの記録は領域Ｂに対する３パス目の記録となるので、ここでの記録における記録率が４０％となるように記録が行われる。
【００４４】
第２の記録ヘッド１０の上流側の部分による領域Ｂへの記録が終わると、そこから記録媒体が第２の記録ヘッド１０の半分の長さに相当する分だけ搬送方向へ搬送される。図９（ｄ）に示されるように、記録媒体の後端部が第２の記録ヘッド１０の搬送歩行中央部に対応した部分に位置すると、領域Ｂに対して第２の記録ヘッド１０における搬送方向下流側の部分により記録が行われる。ここでの記録は領域Ｂに対する４パス目の記録となるので、ここでの記録における記録率が３０％となるように記録が行われる。
【００４５】
第２の記録ヘッド１０による記録が終わると、図９（ｅ）に示されるように、記録媒体が記録ヘッド３、１０に対応した位置を通過して、記録媒体が記録ヘッド３、１０を抜ける。これにより、記録ヘッド３、１０による記録領域Ｂへの記録を終え、記録媒体への記録を終える。
【００４６】
なお、ここでは、記録ヘッド３、１０によって一度の走査で記録可能な記録媒体の先端部のうち、最も先端の領域Ａ及び一度の走査で記録可能な後端部のうち、最も後端の領域Ｂについて説明している。しかしながら、本実施形態では、記録媒体における一度の走査で記録可能な記録媒体の先端部のうち、最も先端側の領域Ａ以外の部分についても、本発明の記録制御によって記録が行われる。すなわち、一度の走査で記録可能な記録媒体の先端部のうち、最も先端側の領域Ａ以外の部分について、走査ごとに記録率が変化するマスクが用いられて記録が行われる。また、記録媒体における一度の走査で記録可能な記録媒体の後端部のうち、最も後端側の領域Ｂ以外の部分についても、本発明の記録制御によって記録が行われる。すなわち、一度の走査で記録可能な記録媒体の後端部のうち、最も後端側の領域Ｂ以外の部分について、走査ごとに記録率が変化するマスクが用いられて記録が行われる。
【００４７】
一度の走査で記録可能な記録媒体の先端部のうち、最も先端側の領域Ａ以外の部分については、領域Ａについての記録が行われた後に、順次記録が行われていく。本実施形態のように４パス記録によって記録が行われる場合には、一度の走査で記録可能な記録媒体の先端部は４回の走査で記録が行われる。また、一度の走査で記録可能な記録媒体の後端部のうち、最も後端側の領域Ｂ以外の部分についても、領域Ｂへの記録が行われる前に、順次記録が行われることになる。
【００４８】
以上のように、本実施形態では、記録媒体の端部へ分割記録を実行する際に、第１の記録ヘッド３のインク吐出量を第２の記録ヘッド１０のインク吐出量より少なくして画像が形成される。従って、第２の記録ヘッド１０からのインク吐出よりも先に、第１の記録ヘッド３からのインク吐出によって記録が行われる際に、インク吐出量が比較的少なく抑えられる。そのため、変形し易い記録媒体の先端部に対して第１の記録ヘッド３によって記録が行われる際に、過度に吐出量の多いインク吐出によって記録が行われることで記録媒体を変形させることを抑えることができる。従って、第１の記録ヘッド３によるインク吐出が行われた後に、既に第１の記録ヘッド３によって記録の行われた領域に第２の記録ヘッド１０が移動したときに、記録媒体が変形することで、記録媒体と第２の記録ヘッド１０とが接触することが抑えられる。これにより、画像が記録された記録媒体の記録面と記録ヘッド３、１０とが接触することが抑えられるので、接触によって記録画像の品質が低下することを抑えることができる。
【００４９】
また、先行する第１の記録ヘッド３による記録により記録媒体が変形することで第２の記録ヘッド１０と記録媒体との間の距離が一定でなくなった状態のまま、第２の記録ヘッド１０によって記録が行われることを抑えることができる。従って、第２の記録ヘッド１０と記録媒体との間の距離が一定でないことによって記録画像にムラが生じ、記録画像の品質が低下してしまうことを抑えることができる。
【００５０】
また、本実施形態では、上述のように記録率を変化させる領域が、記録媒体の先端部及び後端部に制限されている。そのため、記録媒体の端部以外の領域へ記録が行われる際には、それぞれの走査の間で記録率が均一になるようなマスクが用いられる。従って、記録データに応じ、第１の記録ヘッド３と第２の記録ヘッド１０とから、ほぼ均等にインクの吐出が行われて記録が行われる。これにより、記録媒体への記録工程の全体で考慮したときに、第１の記録ヘッド３からのインク吐出と、第２の記録ヘッド１０からのインク吐出との間で、インク吐出の頻度の差が小さく抑えられる。従って、インクジェット記録装置が長期に亘って用いられたときに、第１の記録ヘッド３と第２の記録ヘッド１０との間でインク吐出のために発熱素子の駆動された回数の差が小さい。そのため、第１の記録ヘッド３と第２の記録ヘッド１０との間で、寿命に差が生じることが抑えられる。従って、それぞれの記録ヘッド３、１０をそれぞれより長期間に亘って有効に使用することができ、インクジェット記録装置としての耐用期間を長くすることができる。
【００５１】
さらに、本実施形態では、１回目のパスから４回目のパスまで、それぞれのパスでの記録の際の記録率が変化している。これにより、特定のパスで記録率の高い記録が行われることが抑えられ、特定のパスにおける記録で濃度が高くなることで、記録画像に画像ムラの発生することが低減される。
【００５２】
なお、本実施形態では、２個の記録ヘッドを有するインクジェット記録装置であるが、本発明ではこれに限られるものではなく、記録ヘッドは、単数又は、３個以上でも構わない。すなわち、使用するヘッド数に関係なくＮパス分割記録とした場合において、１パス目〜Ｎ／２パス目までに消費するインク吐出量が、（Ｎ／２＋１）パス目〜Ｎパス目までに消費するインク吐出量より少なくするように制御すればよい。
【００５３】
また、本実施形態では、記録画像の形式に関係なく、記録媒体の端部への記録が行われるときに本発明が適用される。しかしながら、本発明はこれに限定されず、記録媒体の搬送方向の端部に余白が形成されずに記録の行われる縁無し記録が行われるときに、本発明の記録制御が適用されることとされても良い。記録媒体の搬送方向端部に余白が形成されて記録が行われる場合、余白の大きさによっては記録媒体の搬送方向に記録が行われない場合もある。そのような場合に本発明の記録制御が適用されても、効果が得られない場合もある。従って、そのような場合には、本発明の記録制御が行われないようにされても良い。
【００５４】
（第２実施形態）
次に、第二実施形態に係るインクジェット記録装置における記録制御について説明する。なお、上記第一実施形態と同様に構成される部分については図中同一符号を付して説明を省略し、異なる部分についてのみ説明する。
【００５５】
第２実施形態の記録制御は、第１実施形態の記録制御と比較して、使用環境条件（湿度）による判定を追加して制御を実行する点で異なる。本実施形態のインクジェット記録装置は、記録ヘッド３、１０の周辺部における湿度を検出することが可能な温湿度センサ１０７（湿度検出手段）を有している。図１０は、第２実施形態に係るインクジェット記録装置の制御フローである。第２実施形態では、ステップ４０２でユーザーが選択したパス数がＮ＝４以上と判定された場合に、フローがステップ７００へ移行し、使用環境湿度が３０％以下であるかの判定が行われる。
【００５６】
記録が開始され、ステップ４０１で対象用紙と判定され、ステップ４０２で記録パス数Ｎ＝４以上と判定されると、ステップ７００へ移行する。ステップ７００では、温湿度センサ１０７によって記録ヘッド周辺の湿度が測定され、インクジェット記録装置が置かれている使用環境湿度が３０％以下であるかを判定する。湿度が３０％以上と判定された場合には、本発明による記録制御の対象外として、フローがステップ４０３へ移行する。そこで、第１の記録ヘッド３と第２の記録ヘッド１０の記録率が均一に設定されたマスクが選択されて記録が実行される。また、ステップ７００で、湿度が３０％以下と判定された場合には、フローがステップ４０４へ移行し、本発明の記録制御が実行される。そこで、第１の記録ヘッド３と第２の記録ヘッド１０の記録率が異なるように設定された不均一マスクが選択され、記録が実行される。以降の制御フローは、第１実施形態の制御フローと同様である。
【００５７】
以上のように、本実施形態では、所定の湿度より低い場合にのみに、第１の記録ヘッド３からのインク吐出量を第２の記録ヘッド１０からのインク吐出量より少なくして画像を形成する。すなわち、湿度センサによって検出された記録ヘッド３、１０の周辺部における湿度が、所定の閾値以下であるときに、第１の記録ヘッド３からのインク吐出量が第２の記録ヘッド１０からのインク吐出量よりも小さくなるように、記録が制御される。このように、第２実施形態では、本発明による記録制御が適応される範囲が低湿度環境（湿度３０％以下）に制限される。これにより、湿度が３０％より高い環境の下では、第１の記録ヘッド３によるインク吐出の記録率と第２の記録ヘッド１０によるインク吐出の記録率との間で、差を設ける記録制御は行われない。もともと、湿度の高い環境では、記録媒体の端部に記録を行ったとしても、記録を行う前に既に記録媒体が水分を含んでいることから、記録媒体は変形し難い。そのため、第１の記録ヘッド３によるインク吐出の記録率と第２の記録ヘッド１０によるインク吐出の記録率との間に差を設けたとしても、そのことによる効果は得難い。むしろ、第１の記録ヘッド３によるインク吐出の記録率と第２の記録ヘッド１０によるインク吐出の記録率との間に差を設けることで、第１の記録ヘッド３と第２の記録ヘッド１０との間で、発熱素子の駆動の回数に差が生じる。これによって、インクジェット記録装置が長期に亘って使用されたときに、第１の記録ヘッド３と第２の記録ヘッドとの間で寿命に差が生じてしまう。従って、本実施形態では、記録ヘッド３、１０の周囲の湿度が高いときには、第１の記録ヘッド３と第２の記録ヘッドとの間で記録率に差が生じないようにする。これにより、第１の記録ヘッド３と第２の記録ヘッド１０の寿命に格差が生じることを抑えることができる。従って、それぞれの記録ヘッド３、１０を寿命まで有効に使用することができ、インクジェット記録装置としての耐用期間を長くすることができる。
【符号の説明】
【００５８】
３  第１の記録ヘッド
１０  第２の記録ヘッド
１００  インクジェット記録装置
【図１】
0006041475.tif 000002
【図２】
0006041475.tif 000003
【図３】
0006041475.tif 000004
【図４】
0006041475.tif 000005
【図５】
0006041475.tif 000006
【図６】
0006041475.tif 000007
【図７】
0006041475.tif 000008
【図８】
0006041475.tif 000009
【図９】
0006041475.tif 000010
【図１０】
0006041475.tif 000011